(57)【要約】【課題】超音波血流測定装置により血流を測定する場合に、医療現場で用意するプローブの種類を少なくして患者の治療費の高騰を抑制しながら、様々な太さの血管の血流を正確に測定できるようにする。【解決手段】血流測定補助具１は、心筋Ｂと超音波血流測定装置のプローブ１０１との間に配置される超音波透過部２を備えている。超音波透過部２は、心筋Ｂの表面に沿うように変形可能に構成されている。超音波透過部２を心筋Ｂの表面に配置した後、プローブ１０１を、超音波透過部２の心筋Ｂと反対側の面に接触させた状態で移動させて、左前下行枝Ｃ１の血流を測定する。【選択図】図５
2009297456.tif 000002
【特許請求の範囲】
【請求項１】
心臓の冠動脈バイパス手術時にドップラー法の超音波血流測定装置によって冠動脈あるいはバイパス用血管の血流を測定する際に用いられる血流測定補助具であって、
心筋と上記超音波血流測定装置が有するプローブとの間に配置される超音波透過部を備え、
上記超音波透過部は、心筋の表面に沿うように変形することを特徴とする血流測定補助具。
【請求項２】
請求項１に記載の血流測定補助具において、
超音波透過部の心筋に向く側の面には、冠動脈あるいはバイパス用血管が入る溝部が形成されていることを特徴とする血流測定補助具。
【請求項３】
請求項２に記載の血流測定補助具において、
超音波透過部のプローブ側に向く面には、該プローブを溝部の延びる方向に案内する案内部が設けられていることを特徴とする血流測定補助具。
【請求項４】
請求項２または３に記載の血流測定補助具において、
超音波透過部の心筋に向く側の面には、第１溝部と、該第１溝部と交差する方向に延びる第２溝部とが形成されていることを特徴とする血流測定補助具。
【請求項５】
請求項２から４のいずれか１つに記載の血流測定補助具において、
溝部の幅は、該溝部の長手方向一側から他側へ向けて拡大していることを特徴とする血流測定補助具。
【請求項６】
請求項１から５のいずれか１つに記載の血流測定補助具において、
超音波透過部は、透光性を有する材料からなることを特徴とする血流測定補助具。
【発明の詳細な説明】
【技術分野】
【０００１】
本発明は、心臓の冠動脈バイパス手術時に超音波血流測定装置によって冠動脈あるいはバイパス用血管の血流を測定する際に用いられる血流測定補助具に関する。
【背景技術】
【０００２】
心臓を構成する心筋表面には、心臓上部の大動脈起始部から心筋を取り巻くように冠状に延びる冠動脈が分布している。この冠動脈が動脈硬化により狭窄或いは閉塞すると、冠動脈の末梢側への血流が十分でなくなって心筋へ供給される栄養や酸素が不足し、狭心症や心筋梗塞を引き起こすことになる。この狭心症や心筋梗塞が起こった場合には、従来より、カテーテルを用いた経皮的冠動脈形成術（ＰＴＣＡ）が行われている。この手技は、近年、技術的に大きく進歩しているが、それでも適用が困難な患者がおり、このような患者に対しては、バイパス用血管（グラフト血管）を用いた冠動脈バイパス手術が行われている。冠動脈バイパス手術とは、冠動脈の狭窄部分または閉塞部分よりも末梢側に吻合用の切開部を形成し、この切開部周囲に、グラフト血管の末梢側端部を吻合することで、血液を冠動脈の狭窄部分または閉塞部分を迂回させて末梢側へ流すようにする手術である。
【０００３】
冠動脈バイパス手術では、例えば、特許文献１に開示されているような超音波血流測定装置が用いられることがある。この超音波血流測定装置を用いることで、バイパス用血管を吻合する前に、患者の冠動脈の正常な部分と、狭窄部分や閉塞部分の血流の状態を得ることができ、これに基づいて、狭窄の度合いや、バイパス用血管を吻合する位置を決定することが可能になる。また、バイパス用血管を冠動脈に吻合した後に、バイパス用血管から冠動脈へ流れる血流量が不十分であったり、吻合部分の形状が血流の流れを阻害する形状となっている場合には、長期経過後の血管開存率が低下してしまうので、バイパス用血管と冠動脈との吻合が終わった後に、上記超音波血流測定装置を用いて吻合部分の血流を測定し、バイパス用血管が所期の状態で吻合されているか否かの確認が行われることがある。以上のように、超音波血流測定装置は、冠動脈バイパス手術において非常に有用なものである。
【０００４】
上記特許文献１の超音波血流測定装置は、装置本体と、装置本体に接続されるプローブとを備えており、超音波トランジットタイム法によって血流の測定を行うように構成されている。プローブには、２つのピエゾ素子と、各ピエゾ素子から照射された超音波を反射する反射板とが血管を挟む位置関係で配置されており、従って、プローブの形状は、略Ｃ字形状をなしている。このようなプローブの構造により、超音波トランジットタイム法による血流の測定が可能となる。
【０００５】
また、超音波血流測定装置としては、例えば、特許文献２に開示されているように、ドップラー法によって血流の測定を行うように構成されたものも知られている。ドップラー法を用いる場合には、プローブに反射板は不要である。
【特許文献１】特開平９−２７６２７０号公報
【特許文献２】特開平１１−３４２１３０号公報
【発明の開示】
【発明が解決しようとする課題】
【０００６】
ところで、特許文献１の超音波血流測定装置では、超音波トランジットタイム法を用いていることから、ピエゾ素子と反射板とが必要であり、しかも、それらは、血管を挟む位置関係で配置しなければならないため、プローブの形状は血管を囲むような形状となる。一方、測定対象となる血管の太さは、患者の体格や性別によって異なっており、また、末梢側と中枢側とでも異なっている。そのため、手術現場には、内径の異なるプローブを複数種類用意しておかなければならない。しかしながら、プローブは、精密に構成されていて、高価なものであるため、複数種類用意すると設備費用が高額になり、ひいては、患者の治療費の高騰を招く。
【０００７】
また、特許文献１、２の超音波血流測定装置を用いて血管の血流を測定する場合には、術者がプローブを血管に押し付けてしまうことに起因して血流状態が変化してしまい、血流を正確に測定するのが難しいという問題もある。
【０００８】
本発明は斯かる点に鑑みてなされたものであり、その目的とするところは、医療現場で用意するプローブの種類を少なくして患者の治療費の高騰を抑制しながら、様々な太さの血管の血流を正確に測定できるようにすることにある。
【課題を解決するための手段】
【０００９】
上記目的を達成するために、本発明では、心筋とプローブとの間に配置される超音波透過部を、心筋の表面に沿うように変形可能にした。
【００１０】
具体的には、第１の発明では、心臓の冠動脈バイパス手術時にドップラー法の超音波血流測定装置によって冠動脈あるいはバイパス用血管の血流を測定する際に用いられる血流測定補助具であって、心筋と上記超音波血流測定装置が有するプローブとの間に配置される超音波透過部を備え、上記超音波透過部は、心筋の表面に沿うように変形する構成とする。
【００１１】
この構成によれば、測定対象となる冠動脈やバイパス用血管を超音波透過部によって覆うようにして、超音波透過部を心筋の表面に配置した後、超音波透過部における心筋と反対側の面にプローブを配置してその面上を移動させることで、プローブから照射された超音波が超音波透過部を透過して測定対象の血管に届き、ドップラー法によって測定対象の血管の血流が測定される。このように、プローブを超音波透過部の面上を移動させるようにしたことで、測定中にプローブが血管に押し付けられることはなく、プローブが押し付けられることに起因する血流状態の変化が抑制される。また、超音波透過部が心筋の表面に沿うように変形するものなので、測定対象の血管の太さが異なっても、それに対応するように超音波透過部が変形し、よって、様々な太さの血管の血流を測定することが可能になる。これにより、医療現場で用意するプローブの種類を少なくすることが可能になる。
【００１２】
第２の発明では、第１の発明において、超音波透過部の心筋に向く側の面には、冠動脈あるいはバイパス用血管が入る溝部が形成されている構成とする。
【００１３】
この構成によれば、測定対象となる冠動脈やバイパス用血管を溝部に入れることで、超音波透過部が血管の周りで心筋Ｂから浮くことはなく、超音波透過部を心筋の表面に広く密着させることが可能になる。この場合、溝部の深さや幅を変更することで、太さの異なる血管に容易に対応することが可能である。
【００１４】
第３の発明では、第２の発明において、超音波透過部のプローブ側に向く面には、該プローブを溝部の延びる方向に案内する案内部が設けられている構成とする。
【００１５】
この構成によれば、血流を測定する際に、プローブが案内部によって溝部の延びる方向に案内される。
【００１６】
第４の発明では、第２または３の発明において、超音波透過部の心筋に向く側の面には、第１溝部と、該第１溝部と交差する方向に延びる第２溝部とが形成されている構成とする。
【００１７】
この構成によれば、冠動脈の枝分かれした部分や、冠動脈のバイパス用血管が吻合された部分を第１溝部及び第２溝部に入れることが可能になる。
【００１８】
第５の発明では、第２から４のいずれか１つの発明において、溝部の幅は、該溝部の長手方向一側から他側へ向けて拡大している構成とする。
【００１９】
この構成によれば、溝部の幅が、中枢側から末梢側へ向けて細くなる冠動脈の外径に対応するようになる。
【００２０】
第６の発明では、第１から５のいずれか１つの発明において、超音波透過部は、透光性を有する材料からなる構成とする。
【００２１】
この構成によれば、術者が血流測定補助具を心筋の表面に配置した状態で、冠動脈あるいはバイパス用血管を、超音波透過部を通して見ることが可能になる。
【発明の効果】
【００２２】
第１の発明によれば、心筋とプローブとの間に配置される超音波透過部を備えているので、血流の測定中にプローブが血管に押し付けられることによる血流状態の変化を抑制でき、血流を正確に測定することができる。また、超音波透過部が心筋の表面に沿うように変形するものなので、プローブの種類を変更することなく、様々な太さの血管の血流を測定することができる。これにより、医療現場で用意するプローブの種類を少なくして設備費用を低減でき、治療費の高騰を抑制することができる。
【００２３】
第２の発明によれば、超音波透過部に冠動脈あるいはバイパス用血管が入る溝部を形成したので、超音波透過部を心筋の表面に配置した状態で、超音波透過部の広い範囲を心筋の表面に密着させて安定させることができる。
【００２４】
第３の発明によれば、プローブを案内部によって溝部の延びる方向に案内するようにしたので、術者は、プローブを溝部内の血管に沿うように容易に走行させることができ、血流測定時の作業性を良好にすることができる。
【００２５】
第４の発明によれば、超音波透過部の心筋に向く側の面に、第１溝部と第２溝部とを交差するように形成したので、冠動脈の枝分かれした部分や、冠動脈におけるバイパス用血管が吻合された部分の血流を正確に測定することができる。
【００２６】
第５の発明によれば、冠動脈の外径に対応するように溝部の幅を設定することができ、冠動脈を溝部内に確実に入れて血流を測定することができる。
【００２７】
第６の発明によれば、血流測定補助具を透光性を有する材料からなるものとしたので、術者が測定対象の血管を見て確認しながら、血流の測定を行うことができる。
【発明を実施するための最良の形態】
【００２８】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２９】
図１は、本発明の実施形態に係る血流測定補助具１の使用状態を示すものである。この血流測定補助具１は、冠動脈バイパス手術時に、超音波血流測定装置１００（図４に示す）によって冠動脈あるいはバイパス用血管の血流を測定する際に用いられるものであり、超音波透過性材料で構成された超音波透過部２を備えている。超音波透過性材料は、無色透明なゲル材料であり、このゲル材料としては、例えば、特開２００７−１４３９４６号公報に開示されているような超音波透過性に優れた材料を使用することができる。すなわち、超音波透過材料は、常温で大半ないし全てが液状であるアルキレンオキサイドのセグメントを有するセグメント化ポリウレタンゲル中に、ウレタン反応に寄与せず、かつ、超音波伝播速度が水に近く、超音波の減衰率が低い不揮発性の有機系ゲル膨張媒が含有されているものである。この超音波透過材料を構成する詳細な材料や、製造方法については、特開２００７−１４３９４６号公報に開示されている通りであるため、この実施形態の説明では省略する。また、超音波透過部２は、上記のようなゲル材料で構成されていることから、心筋Ｂの表面に沿って容易に変形するとともに、容易に延びる柔軟性を持っている。超音波透過部２が有する柔軟性は、心筋Ｂの表面に配置した際に超音波透過部２の自重によって心筋Ｂの表面に沿うように変形する程度である。
【００３０】
尚、超音波透過部２は、例えば、生理的食塩水と、この生理的食塩水が封入された袋とで構成するようにしてもよい。この袋は、超音波透過性を有する樹脂フィルムで構成すればよい。
【００３１】
超音波透過部２は、心筋Ｂと上記超音波血流測定装置１００が有するプローブ１０１との間に配置されるもので、板状をなしている。具体的には、超音波透過部２は、一辺の長さが４０ｍｍの正方形の板状であり、その厚さは、１５ｍｍに設定されている。図２に示すように、超音波透過部２の心筋側の面２ａには、幅方向（図２の上下方向）両端に亘って略直線状に延びる溝部３が形成されている。この溝部３は、超音波透過部２の心筋側の面２ａにおける略中央部を通っている。溝部３の幅は、４ｍｍに設定されている。図３に示すように、溝部３の底面は、プローブ１０１（仮想線で示す）が当てられる側へ向けて湾曲するように形成されており、具体的には、半径２ｍｍの円弧面で構成されている。従って、溝部３の断面形状は、Ｕ字状となり、深さは、最も深いところで４ｍｍとなる。
【００３２】
超音波透過部２のプローブ１０１が当たる側の面２ｂには、凹部（案内部）４が形成されている。この凹部４は、溝部３の延びる方向に延びており、その長手方向両端部は、超音波透過部２の幅方向両端部にそれぞれ位置し、開放されている。凹部４の底面は、超音波透過部２のプローブ側の面２ｂと略平行に延びている。また、凹部４の両側面は、底面に対し略鉛直に延びている。また、図２に示すように、超音波透過部２を厚み方向に見たときに、凹部４の幅方向中心部と溝部３の幅方向中心部とは一致している。凹部４の幅は、プローブ１０１のヘッドの幅よりも若干広く設定されていて、ヘッドを凹部４内に容易に配置できるようになっている。
【００３３】
尚、超音波透過部２の各寸法や形状は、任意に設定することが可能である。例えば、超音波透過部２を長方形の板状、円板状、楕円形の板状に形成してもよい。また、溝部３及び凹部４の深さや断面形状も任意に設定することができる。
【００３４】
次に、上記のように構成された血流測定補助具１を使用する場合ついて図１及び図５に基づいて説明する。本実施形態では、心臓Ａを拍動させたままで行われる冠動脈バイパス手術において、心筋Ｂ表面に分布する３本の主な冠動脈、即ち、左前下行枝Ｃ１、左旋回枝Ｃ２及び右冠動脈Ｃ３のうち、左前下行枝Ｃ１に狭窄部Ｄが形成されている症例を対象として説明する。また、バイパス用血管Ｅは、図１に仮想線で示すように、大動脈基始部から左前下行枝Ｃ１の狭窄部Ｄよりも末梢側に延びるように形成するものとする。尚、バイパス用血管Ｅとしては、足の大伏在静脈や、胸の骨の裏にある内胸動脈、胃のそばにある右胃大網動脈、左右前腕の橈骨動脈等であってもよい。
【００３５】
また、本実施形態では、超音波血流測定装置として、ドップラー法の超音波血流測定装置１００を用いる。このドップラー法の超音波血流測定装置１００は、例えば、胸腹部の診断に用いられているものや、特許文献２に開示されているものがある。ドップラー法の超音波血流測定装置１００のプローブ１０１は、図５に示すように、ヘッドの超音波を照射する部分が直線状に延びる厚肉板状をなしている。
【００３６】
また、血流測定補助具１の溝部３の幅は、患者の左前下行枝Ｃ１の太さよりも広く設定しておく。
【００３７】
まず、左前下行枝Ｃ１を超音波透過部２の溝部３に入れるようにして、血流測定補助具１を心筋Ｂの表面に配置する。このとき、溝部３の幅が左前下行枝Ｃ１の太さよりも広く設定されているので、左前下行枝Ｃ１が多少曲がって延びていても、溝部３に入れることが可能である。この状態で、凹部４の長手方向は、上下方向となり、左前下行枝Ｃ１の延びる方向と大略一致する。また、超音波透過部２は、上記のように柔軟性を持っているため、自重によって心筋Ｂの表面に沿うように湾曲する。また、左前下行枝Ｃ１を溝部３に入れるようにしているので、超音波透過部２が左前下行枝Ｃ１の周りで心筋Ｂの表面から浮くようになることはなく、超音波透過部２の心筋側の面２ｂが広い範囲に亘って心筋Ｂの表面に密着することになる。
【００３８】
このようにして血流測定補助具１を心筋Ｂの表面に配置した後、図５に示すように、プローブ１０１のヘッドを凹部４に挿入し、凹部４内において底面に接触させた状態で凹部４の長手方向に移動させる。プローブ１０１を凹部４内に挿入することで、プローブ１０１は、凹部４の両側面によって幅方向への移動が規制されて、凹部４の長手方向、即ち、左前下行枝Ｃ１の延びる方向に案内され、プローブ１０１を左前下行枝Ｃ１に沿って走行させることが容易に行える。このときプローブ１０１のヘッドから照射された超音波は、超音波透過部２を透過して左前下行枝Ｃ１に届き、左前下行枝Ｃ１の血流がドップラー法によって測定される。このように、プローブ１０１を血流測定補助具１の凹部４の底面上を移動させるようにしているので、プローブ１０１が左前下行枝Ｃ１に直接押し付けられることはなく、プローブ１０１が左前下行枝Ｃ１に押し付けられることによる血流状態の変化が回避される。上記のようにして、左前下行枝Ｃ１の各部の血流を測定していくことで、狭窄部Ｄの位置やその状態を得ることが可能になり、これに基づいて、バイパス用血管Ｅの適切な吻合位置を決定することができる。
【００３９】
その後、血流測定補助具１を心筋Ｂの表面から外す。そして、左前下行枝Ｃ１の吻合目標部位を切開した後、バイパス用血管Ｅの端部を切開部分に吻合する。バイパス用血管Ｅの吻合が終わった後に、左前下行枝Ｃ１の吻合部分の血流、吻合部分よりも末梢側の血流及びバイパス用血管の血流を測定する。
【００４０】
すなわち、左前下行枝Ｃ１の吻合部分及びその末梢側を超音波透過部２の溝部３に入れるようにして、血流測定補助具１を心筋Ｂの表面に配置し、上記の如くプローブ１０１を凹部４内で移動させることにより、左前下行枝Ｃ１の吻合部分及び吻合部分よりも末梢側の血流を測定できる。また、バイパス用血管Ｅを超音波透過部２の溝部３に入れるようにして、血流測定補助具１を心筋Ｂの表面に配置し、上記の如くプローブ１０１を凹部４内で移動させることにより、バイパス用血管Ｅの血流を測定できる。これにより、バイパス用血管Ｅから左前下行枝Ｃ１へ流れる血流量が十分であるかを判定することが可能になるとともに、バイパス用血管Ｅの吻合部の形状が血流の流れを阻害する形状となっていないかも判定することが可能になる。
【００４１】
また、超音波透過部２が柔軟性を有するものなので、冠動脈Ｃ１〜Ｃ３及びバイパス用血管Ｅの太さが異なっていても、その太さに対応するように超音波透過部２が変形する。これにより、プローブ１０１を他のものに変更することなく、様々な太さの冠動脈Ｃ１〜Ｃ３及びバイパス用血管Ｅの血流を測定することが可能になる。
【００４２】
以上説明したように、この実施形態に係る血流測定補助具１によれば、心筋Ｂとプローブ１０１との間に配置される超音波透過部２を備えているので、血流の測定中にプローブ１０１が血管に押し付けられることによる血流状態の変化を抑制でき、血流を正確に測定することができる。また、超音波透過部２が心筋Ｂの表面に沿うように変形するので、プローブ１０１の種類を変更することなく、様々な太さの冠動脈Ｃ１〜Ｃ３及びバイパス用血管Ｅの血流を測定することができる。これにより、医療現場で用意するプローブ１０１の種類を少なくして設備費用を低減でき、治療費の高騰を抑制することができる。
【００４３】
また、超音波透過部２に、冠動脈Ｃ１〜Ｃ３あるいはバイパス用血管Ｅが入る溝部３を形成したので、超音波透過部２がそれら血管の周りで心筋Ｂの表面から浮くようになることはなく、超音波透過部２を心筋Ｂの表面に広く密着させることが可能になる。これにより、超音波透過部２を心筋Ｂの表面に配置した状態で安定させることができる。
【００４４】
また、超音波透過部２の溝部３の幅や深さを調節することで、様々な太さの血管を溝部３に入れて血流を測定することができる。
【００４５】
また、プローブ１０１を凹部４によって溝部３の延びる方向に案内するようにしたので、術者は、プローブ１０１を溝部３内の血管に沿うように容易に走行させることができ、血流の測定の作業性を良好にすることができる。
【００４６】
また、超音波透過部２を透光性を有する材料からなるものとしたので、超音波透過部２を心筋Ｂの表面に配置する際に冠動脈Ｃ１〜Ｃ３あるいはバイパス用血管Ｅが溝部３に入っているか否かを見ることができる。さらに、術者は、血流測定補助具１を心筋Ｂの表面に配置した状態で、冠動脈Ｃ１〜Ｃ３あるいはバイパス用血管Ｅを見ることができる。これにより、測定対象の血管を確認しながら、血流の測定を行うことができる。
【００４７】
尚、上記実施形態では、超音波透過部２に直線形状の溝部３を１本だけ形成しているが、これに限らず、例えば、図６及び図７に示す変形例１のように、超音波透過部２には、直線状に延びる第１溝部１０と、この第１溝部１０に直交して直線状に延びる第２溝部１１とを形成するようにしてもよい。第２溝部１１は、第１溝部１０の長手方向一方側寄りに位置付けられている。第２溝部１１は、第１溝部１０に対し斜めに交わるように形成してもよい。
【００４８】
また、図８及び図９に示す変形例２では、超音波透過部２に、直線状に延びる第１溝部１２と、第１溝部１２の途中から分岐して直線状に延びる第２溝部１３及び第３溝部１４とを形成するようにしてもよい。第２溝部１３の第１溝部１２側の端部と、第３溝部１４の第１溝部１２側の端部とは、第１溝部１２の長手方向に離れている。また、第１溝部１２と第２溝部１３とのなす角度は、第１溝部１２と第３溝部１４とのなす角度よりも大きく設定されている。第１溝部１２と第２溝部１３とのなす角度と、第１溝部１２と第３溝部１４とのなす角度は、同じ角度としてもよい。
【００４９】
上記変形例１、２のように、複数の溝部１０〜１４を交差させることで、冠動脈の枝分かれした部分や、冠動脈におけるバイパス用血管が吻合された部分を溝部１０〜１４内に入れることができ、これら部分の血流を正確に測定することができる。
【００５０】
また、図１０に示す変形例３のように、超音波透過部２に形成した溝部１５の幅は、長手方向一側から他側へ向けて拡大するように設定してもよい。このようにすることで、溝部１５の幅を、中枢側から末端側へ向けて細くなる冠動脈Ｃ１〜Ｃ３の外径に対応させることができ、冠動脈Ｃ１〜Ｃ３を溝部１５内に確実に入れて血流を測定することができる。
【００５１】
また、溝部３、１０〜１５は、湾曲させてもよい。
【００５２】
また、図示しないが、超音波透過部２には、複数の溝部を間隔をあけて形成するようにしてもよい。この場合、溝部の幅を互いに変えることも可能であり、これにより、１つの血流測定補助具によって、外径の異なる複数の冠動脈Ｃ１〜Ｃ３やバイパス用血管Ｅの血流を測定することが可能になる。
【００５３】
また、溝部３、１０〜１５は省略してもよい。この場合では、超音波透過部２を心筋Ｂの表面に配置した状態で、超音波透過部２が心筋Ｂ表面の血管の形状に沿うように変形する。
【００５４】
また、超音波透過部２が有する柔軟性は、超音波透過部２を心筋Ｂの表面に配置した際に自重で変形することなく、術者が手で変形できる程度であってもよい。
【００５５】
また、超音波透過部２を構成する材料としては、上記したもの以外にも、超音波の透過性を有するものであればよい。
【産業上の利用可能性】
【００５６】
以上説明したように、本発明に係る血流測定補助具は、冠動脈やバイパス用血管の血流を測定するのに適している。
【図面の簡単な説明】
【００５７】
【図１】本発明の実施形態に係る血流測定補助具の使用状態を説明する図である。
【図２】血流測定補助具を溝部側から見た平面図である。
【図３】血流測定補助具を溝部の一端側から見た正面図である。
【図４】超音波血流測定装置を示す図である。
【図５】プローブを血流測定補助具の凹部内に配置した状態を示す図１相当図である。
【図６】変形例１に係る図２相当図である。
【図７】変形例１に係る図３相当図である。
【図８】変形例２に係る図２相当図である。
【図９】変形例２に係る図３相当図である。
【図１０】変形例３に係る図２相当図である。
【符号の説明】
【００５８】
１              血流測定補助具
２              超音波透過部
３              溝部
４              凹部（案内部）
１００          超音波血流測定装置
１０１          プローブ
Ｂ              心筋
Ｃ１〜Ｃ３      冠動脈
Ｄ              狭窄部
Ｅ              バイパス用血管
【図１】
2009297456.tif 000003
【図２】
2009297456.tif 000004
【図３】
2009297456.tif 000005
【図４】
2009297456.tif 000006
【図５】
2009297456.tif 000007
【図６】
2009297456.tif 000008
【図７】
2009297456.tif 000009
【図８】
2009297456.tif 000010
【図９】
2009297456.tif 000011
【図１０】
2009297456.tif 000012